(57)【要約】【課題】「指を挟む（詰める）恐れ」を極力を回避することができること。【解決手段】扉の外壁面に固定的に取り付けられる取付け座と、この取付け座の内側に装着され、かつ該取付け座の周方向に回転する回転軸体と、この回転軸体の左右の中心部位に両端基部がそれぞれ軸支され、該両端基部を中心にして垂直状態から水平状態へと引き起こされるハンドルとを備えた扉用ハンドル装置に於いて、該扉用ハンドル装置の前記扉の外壁面に取付けた外観構成は、取付け座の外周部分が環状の突壁であり、回転軸体は、外周部分の手前表面から外方向に突出する円盤状であり、ハンドルは、両端基部から回転軸体の半径外方向へと枠状に延在する指掛け形状であり、かつ両端基部に連設する少なくとも中央部の指掛け部分と回転軸体の周方向の側面との間には、複数本の指を差し込むことが可能な間隙が形成されている。【選択図】図１
2009167650.tif 000002
【特許請求の範囲】
【請求項１】
扉の外壁面に固定的に取り付けられる取付け座と、この取付け座の内側に装着され、かつ該取付け座の周方向に回転する回転軸体と、この回転軸体の左右の中心部位に両端基部がそれぞれ軸支され、該両端基部を中心にして垂直状態から水平状態へと引き起こされるハンドルとを備えた扉用ハンドル装置に於いて、該扉用ハンドル装置の前記扉の外壁面に取付けた外観構成は、前記取付け座の外周部分が環状の突壁であり、また、前記回転軸体は、前記外周部分の手前表面から外方向に突出する円盤状であり、さらに、前記ハンドルは、両端基部から回転軸体の半径外方向へと枠状に延在する指掛け形状であり、かつ両端基部に連設する少なくとも中央部の指掛け部分と回転軸体の周方向の側面との間には、複数本の指を差し込むことが可能な間隙が形成されていることを特徴とする扉用ハンドル装置。
【請求項２】
請求項１に於いて、回転軸体の周方向の側面は、厚い部分と、それに連続する薄い部分とを有し、前記厚い部分の側面にはハンドルの両端基部が軸支され、一方、前記薄い部分の側面は、少なくともハンドルの中央部の指掛け部分が起倒する側であることを特徴とする扉用ハンドル装置。
【請求項３】
請求項１に於いて、ハンドルは、Ｕ字形状に形成されていることを特徴とする扉用ハンドル装置。
【発明の詳細な説明】
【技術分野】
【０００１】
本発明は、扉用ハンドル装置に関し、例えば防火扉、普通一般の建具の室内扉、家具用扉、門扉等の外壁面に取り付けられる扉用ハンドル装置に関する。
【背景技術】
【０００２】
特許文献１には、例えば防火扉の外壁面に取り付けられる建具用ハンドル装置の一例が開示されている。この特許文献１は、出願人が開示したものである。
【０００３】
さて、特許文献１の実施例は、複数の目的を有するが、その所期の目的は、複数本（例えば３本）の指をハンドルの指掛け部分に掛けて、ハンドルを操作する者の手前側へと簡単に引き起こすことである。そのために、特許文献１の実施例では、「扉の外壁面に固定的に取り付けられる取付け座に、断面段差状の横向き凹所を形成し、該横向き凹所の内壁底面の中央部にバー状の回転軸体を装着し、この回転軸体の左右端部に半円弧状のハンドルの両端基部を軸支すると共に、ハンドルの折り畳み時、前記横向き凹所の手前側の段差受け面（特許文献１では台座２）にハンドルの中央部の指掛け部分を受けさせて、前記内壁底面とハンドルの指掛け部分との間に指先を突っ込むことができる間隙を形成したこと」を特徴とするものである。
【０００４】
上記構成は、特許文献１に記載しているように、ハンドルの中央部の指掛け部分に容易に複数本の指を掛けることができる、ハンドルを強く手前側に引くときに指が痛くならない等の利点がある。しかしながら、この種のハンドルは、その機能性はもちろんのこと、機能性を考慮しながら意匠上の外観性や美観性も考慮する必要がある。そこで、特許文献１の実施例の利点を生かしながら、意匠上の美観性に優れた新規な建具用ハンドルの出現が期待されている。
【特許文献１】特開２００６−１６９９０７号公報
【発明の開示】
【発明が解決しようとする課題】
【０００５】
本発明の所期の目的は、特許文献１とは異なる発想（構成）で、ハンドルの央中央の指掛け部分に容易に複数本の指を掛けることができること、ハンドルを強く手前側に引くときに指が痛くならないことなどである。本発明の第２の目的は、機能性を考慮しながら、意匠上の創作の自由度に優れていることである。
【課題を解決するための手段】
【０００６】
本発明の扉用ハンドル装置は扉の外壁面に固定的に取り付けられる取付け座と、この取付け座の内側に装着され、かつ該取付け座の周方向に回転する回転軸体と、この回転軸体の左右の中心部位に両端基部がそれぞれ軸支され、該両端基部を中心にして垂直状態から水平状態へと引き起こされるハンドルとを備えた扉用ハンドル装置に於いて、該扉用ハンドル装置の前記扉の外壁面に取付けた外観構成は、前記取付け座の外周部分が環状の突壁であり、また、前記回転軸体は、前記外周部分の手前表面から外方向に突出する円盤状であり、さらに、前記ハンドルは、両端基部から回転軸体の半径外方向へと枠状に延在する指掛け形状であり、かつ両端基部に連設する少なくとも中央部の指掛け部分と回転軸体の周方向の側面との間には、複数本の指を差し込むことが可能な間隙が形成されていることを特徴とする。
【０００７】
上記構成に於いて、回転軸体の周方向の側面は、厚い部分と、それに連続する薄い部分とを有し、前記厚い部分の側面にはハンドルの両端基部が軸支され、一方、前記薄い部分の側面は、少なくともハンドルの中央部の指掛け部分が起倒する側であることを特徴とする。
【発明の効果】
【０００８】
（ａ）ハンドルの央中部の指掛け部分に容易に複数本の指を掛けることができる。付言すると、回転軸体は、取付け座の外周部分（環状の突壁）の手前表面から外方向に突出する円盤状であり、さらに、回転軸体に両端基部が軸支されたハンドルは、その両端基部から回転軸体の半径外方向へと枠状に延在する指掛け形状であることから、回転軸体や取付け座の外周部分とハンドルの指掛け部分との間で、「指を挟む（詰める）恐れ」を極力を回避することができる。また、ハンドルを強く手前側に引くときに指が痛くならない。
（ｂ）特に、請求項２に記載の発明は、指を掛ける側が傾斜状に落ち込んでいるので、（１）の効果を十分に生かすことができると同時に、緊急時に回転軸体の周縁部で指先を当てて、いわゆる「突指」をする確率を減らすことができる。
（ｃ）回転軸体が円盤状なので、取付け座の外周部分やハンドル装置の機能性を考慮しなから、意匠上の創作の自由度を生かすことができる（多様な意匠の創作性の向上）。
（ｄ）その他、取付けの簡素化を図ることができる。
【発明を実施するための最良の形態】
【０００９】
以下、図１乃至図９に示す本発明を実施するための最良の形態により説明する。
【００１０】
（１）発明の実施の環境
図１及び図２は、発明の実施の環境を示す各概略説明図である。図１は、扉用ハンドル装置Ｘが扉１の開放端部の外壁面１ａに取付けられた正面視、図２は、図１の右側面視からハンドル装置Ｘと共に扉、壁、錠箱等の環境部材を示す概略説明図である。図１及び図２に於いて、Ｘはハンドル装置である。また、符号２は例えば室内の通路に沿った壁、符号３は例えば扉１の収納空間（例えば戸袋）である。扉１の基端部は、図示しない蝶番を介して収納空間３を形成する戸枠の縦枠に軸支されている。したがって、ハンドル装置Ｘの後述するハンドルを手前に引く操作をすると、扉１は水平方向に回転する。
【００１１】
ここで、図２を基準にして、扉用ハンドル装置Ｘの環境部材を説明する。前述したように、１は水平方向に開閉する扉で、この扉１は、実施例では、建具の一例としての防火扉である。扉１は、この防火扉に限定されず、普通一般の建具の室内扉、門扉、家具用扉、事務用機器の扉、金庫等の扉も含まれる。
【００１２】
しかして、１ａは防火扉の外壁面、１ｂは扉１が収納空間３に収納された際に通路の壁２と対向する内壁面、Ｘは扉１の外壁面１ａに取付けられた扉用ハンドル装置、Ｙは扉１の内壁面１ｂに取付けられた他方のハンドル装置である。図２では、他方のハンドル装置Ｙは、一方のハンドル装置Ｘと異なる構成であるが、もちろん、一方のハンドル装置Ｘと同一、或いは同様の構成であっても良い。
【００１３】
また、符号４は扉１の開放端部に内装された錠箱である。一方のハンドル装置Ｘと他方のハンドル装置Ｙは、扉１、錠箱４及び固定手段５、例えばハンドル装置Ｘ側の取付け座に設けた複数本のメネジ筒５ａと、他方のハンドルＹの取付け座を貫通し、かつ前記メネジ筒５ａにそれぞれ螺合するオネジ５ｂをそれぞれ介して一体的に連結される。以下、本発明の特定要件について順次説明するが、細部的な事項は図面及びその説明を割愛する。
【００１４】
（２）本発明の特定要件
図３は、正面視に於いて、その一部を断面で示した概略説明図、図４は平面視からの概略説明図、図５は右側面視からの概略説明図、図６はハンドルを引き出した状態の一部概略断面説明図、図７は斜視図である。図１乃至図７で示すように、扉用ハンドル装置Ｘは、扉１の外壁面１ａに固定的に取り付けられる取付け座６と、この取付け座の内側に装着され、かつ該取付け座６の周方向に自在に回転する回転軸体７と、この回転軸体の左右の中心部位に両端基部がそれぞれ軸支され、該両端基部を中心にして垂直状態から水平状態へと引き起こされるハンドル８とを備えている。
【００１５】
そして、図１又は図３で示すように、扉用ハンドル装置Ｘの前記扉１の外壁面１ａに取付けた外観構成は、前記取付け座６の板状ベース部６ａに連設する外周部分６ｂが環状の突壁であり、また、前記回転軸体７は、前記外周部分６ｂの手前表面から外方向に突出する円盤状であり、さらに、前記ハンドル８は、両端基部８ａ，８ａから回転軸体の半径外方向へと枠状に延在する指掛け形状であり、かつ両端基部８ａ，８ａに連設する少なくとも中央部の弧状の指掛け部分８ｂと回転軸体７の弧状の周方向の側面７ａとの間には、複数本の指（例えば３本）を差し込むことが可能な間隙９が形成されている。
【００１６】
また、前記回転軸体７の周方向の側面７ａは、厚い部分１１と、それに周方向に繰り返して連続する薄い部分１２とを有し、前記厚い部分１１の側面には、ハンドルの両端基部８ａ，８ａがピン状の枢軸１３を介して軸支され、一方、前記薄い部分の側面１２は、少なくともハンドルの中央部の指掛け部分７ｂが起倒する側である。
【００１７】
（３）取付け座６
図６を基準にして取付け座６の具体的構成を説明する。６ａは扉１の外壁面１ａに固定手段５を介して固定される円形（本実施例）又は多角形のベース板部で、このベース板部６ａの中心部には、軸部用の嵌合孔１５が形成されている。この嵌合孔１５は、ハンドル装置Ｘの取付け時、扉１の外壁面１ａに形成した不番の開口部分に臨む。６ｂはベース板部６ａの周縁部に外方向（図６では通路側に相当する左側）に突壁状に周設された環状の外周部分である。したがって、取付け座６は、円形のベース板部６ａと環状の外周部分６ｂとにより前記嵌合孔１５に連通する横向き凹所１６を形成している。
【００１８】
（４）回転軸体７
回転軸体７は、その裏側の一部が取付け座６の横向き凹所１６に嵌合するものの、図６や図７で示すように、周方向の表面側の側面７ａが取付け座６の環状突起の外周部分６ｂの表面よりも、一部又は全周が外方向（図６では通路側に相当する左側）に多少突出している。本実施例では、回転軸体７は、扁平な板体であるが、取付け状態である図６を基準にすると、全体として上端部から下端部にかけて緩やかな湾曲状に形成されている。付言すると、ハンドル８の両基端部８ａ、８ａが軸支される周方向の側面７ａの中央部は、肉厚のある厚い部分１１であり、一方、中央部に連続する周方向の側面７ａの上下部位は、それぞれ薄い部分１２となっている。したがって、回転軸体７の周方向の側面７ａは、ハンドルの両基端部８ａ、８ａの枢軸１３を基準にすると、上下方向に１８０度点対称となっている。
【００１９】
また、図６で示すように、回転軸体７の裏面の中央部には、水平軸１８用の筒軸部１９が突出形成されている。前記水平軸１８は、角軸、断面楕円形状等の連結軸であり、錠箱内に位置する端部には、図示しない回転カムや伝動部材が取付けられる。なお、回転軸体７が取付け座６から抜けないように、例えば筒状の抜け止め部材２０が前記筒軸部１９乃至回転軸体７に外嵌合し、かつ抜け止め部材２０と筒軸部１９並びに回転軸体７は固着具２１を介して一体的と成る。したがって、回転軸体７が所定方向に回転すると、抜け止め部材２０及び水平軸１８も同方向へ回転する。
【００２０】
（５）ハンドル８
ハンドル８は、図１で示すように、例えばＵ字形状に形成され、その両基端部（図１では上端部）８ａ、８ａは、左右一対の枢軸１３にそれぞれ軸支されている。ピン状の枢軸１３は、望ましくは両基端部８ａの表面から見えないように、回転軸体７の裏面の左右中央部にそれぞれ形成した図示しない切欠部から嵌め込むようにして取付けられる（例えば圧入）。また、ハンドル８は、前述したように、両端基部８ａ、８ａから回転軸体７の半径外方向へと枠状に延在する指掛け形状であり、かつ両端基部８ａ、８ａに連設する少なくとも中央部の指掛け部分８ｂと回転軸体７の周方向の側面７ａとの間には、複数本の指を差し込むことが可能な間隙９が形成されている。
【００２１】
（６）ハンドル８
ハンドル８は、不使用の常態時は、図１や図２で示すように垂直状態に折り畳まれている。一方、緊急時や扉１を所定位置まで回転させたい時は、複数本の指先を間隙９の中に差し込むようにしてハンドル８の中央部の指掛け部分８ｂに指を掛け、図６や図８で示すように、ハンドル８を手前に引き出す。その後、例えば施錠時、図９で示すようにハンドル８を持ちながら回転軸体７を所定方向に回転することができる。
【実施例】
【００２２】
発明の実施の形態で示した実施例に於いて、図２及び図６は、ハンドル装置Ｘの取り付け態様の一例である。したがって、扉１の外壁面に取付け凹所を形成し、該取付け凹所に取付け座６のベース板部６ａを埋め込み式に取付けても良い。また、ハンドル装置Ｘと他方のハンドル装置Ｙとの固定手段も一例であるから、他の公知ないし周知の固定方式を採用することもできる。さらに、本実施例では、回転軸体７の左右の中央部にハンドル８の両基端部８ａを直接軸支したが、設計如何によっては、回転軸体７の表面に、該回転軸体７の表面と同様に形成されたキャップ状のカバー体を固定的に外嵌合し、該カバー体の左右の中央部にハンドル８の両基端部８ａを軸支しても良い（回転軸体７にカバー体を介してハンドルを軸支する実施例）。
【産業上の利用可能性】
【００２３】
本発明は、主に錠前や建具の業界で利用される。
【図面の簡単な説明】
【００２４】
図１乃至図９は本発明の最良の実施例を示す各説明図。
【図１】発明の実施の環境を示す各概略説明図（正面視）。
【図２】発明の実施の環境を示す各概略説明図（右側面視）。
【図３】図３は、正面視に於いて、その一部を断面で示した概略説明図
【図４】平面視からの概略説明図
【図５】右側面視からの概略説明図
【図６】ハンドルを引き出した状態の一部概略断面説明図
【図７】斜視図。
【図８】ハンドルを引き出した状態の斜視図。
【図９】ハンドルを回転した状態の斜視図。
【符号の説明】
【００２５】
Ｘ…ハンドル装置、Ｙ…他方のハンドル装置、1…扉、１ａ…扉の外壁面、１ｂ…扉の内壁面、２…壁、３…収納空間、４…錠箱、５…固定手段、６…取付け座、６ａ…ベース板部、６ｂ…外周部分（環状の突壁）、７…回転軸体、７ａ…周方向の側面、８…ハンドル、８ａ…両端基部、８ｂ…指掛け部分、９…間隙、１１…厚い部分、１２…薄い部分、１３…枢軸、１５…嵌合孔、１６…横向き凹所、１８…水平軸、１９…筒軸部、２０…抜け止め部材、２１…固着具。
【図１】
2009167650.tif 000003
【図２】
2009167650.tif 000004
【図３】
2009167650.tif 000005
【図４】
2009167650.tif 000006
【図５】
2009167650.tif 000007
【図６】
2009167650.tif 000008
【図７】
2009167650.tif 000009
【図８】
2009167650.tif 000010
【図９】
2009167650.tif 000011